(57)【要約】【課題】係合部材と被係合部材間の残存間隙によってガタツキ振動が発生するのを防止し、緩衝部材の準備コストや選択の煩雑性を解消する。【解決手段】固定枠体１側に設けた係合部材２と開閉体３側に設けた被係合部材４とを相係合させることによって、開閉体３を閉鎖位置において固定枠体１に対して錠止する開閉体のロック装置において、係合部材２のホルダ８に被係合部材４に対して深さを有し、被係合部材４に向かって開口しているポケット部５を設け、緩衝性のある帯状母材６より所要長さ寸法に切断してなる緩衝部材７をポケット部５に挿入し、緩衝部材７の切り口である突出端部を被係合部材４に圧接させる。【選択図】図９
2005023762.tif 000002
【特許請求の範囲】
【請求項１】
固定枠体１側に設けた係合部材２と開閉体３側に設けた被係合部材４とを相係合させることによって、開閉体３を閉鎖位置において固定枠体１に対して錠止する開閉体のロック装置において、係合部材２のホルダ８に被係合部材４に対して深さを有し、被係合部材４に向かって開口しているポケット部５を設け、緩衝性のある帯状母材６を所要長さ寸法に切断して緩衝部材７を形成し、ポケット部５に挿入した緩衝部材７の切断面をポケット部５から突出させて被係合部材４に圧接させるようにした開閉体のロック装置。
【発明の詳細な説明】
【技術分野】
【０００１】
本発明は、電気機器収納キャビネットなどの扉といった開閉体に使用され、閉鎖位置において開閉体をキャビネット本体などの固定枠体に対して錠止するロック装置に関するものである。
【背景技術】
【０００２】
固定枠体側に設けたフックレバー型の係合部材と、開閉体側に設けたＵ字棒状の被係合部材とを相係合させることによって、開閉体を閉鎖位置において固定枠体に対して錠止する開閉体のロック装置は、既に各種分野で使用されている（特許文献１参照）。
【０００３】
このロック装置では、開閉体の閉鎖動作の終端域において係合部材が被係合部材を引き込むようにして被係合部材と係合し、この係合状態が係合部材とリセット部材との係合によって保持され、係合部材とリセット部材との係合が引張コイルバネの付勢によって維持されるものであるが、最終ロック状態においては、係合部材と被係合部材の係合部間には少なからずの間隙が残存している。
【０００４】
そのため、固定枠体に外部振動が伝わったとき、開閉体が振動して被係合部材が係合部材に小刻みに接触し、不快なガタツキの振動音を発生することになる。
この改善策として、緩衝性のある帯状部材を所定長さ寸法に切断してなる緩衝部材を固定枠体と開閉体の間に貼付することが行われているが、緩衝部材はその厚さ方向のどちらか一方の腹面を固定枠体または開閉体に貼り付けているため、一旦貼り付けた緩衝部材の厚さが、係合部材と被係合部材間のガタツキ振動を解消するに足らないときには、調整用厚さを有する別の緩衝部材を上乗せ貼付するか、前に貼付した緩衝部材を引き剥がして、厚さを増した別の緩衝部材を貼付する必要がある。
【０００５】
しかしながら、多様な大きさの残存間隙に対応して種々の厚さの緩衝部材を準備することは、製作コストおよび在庫管理の煩雑性から言って実際的でなく、種々の厚さの緩衝部材を組み合わせて貼付することも、適切な厚さの緩衝部材の選択に手間が掛かり、実際的ではない。そのため、多少のガタツキは受忍すべきものとして放置されているのが現状である。
【０００６】
【特許文献１】特許第２７２７３０５号公報
【発明の開示】
【発明が解決しようとする課題】
【０００７】
解決しようとする問題点は、係合部材と被係合部材間の残存間隙によってガタツキ振動の発生する点と、残存間隙を解消するための緩衝部材の準備コストや選択の煩雑性の点である。
【課題を解決するための手段】
【０００８】
本発明は、固定枠体１側に設けた係合部材２と開閉体３側に設けた被係合部材４とを相係合させることによって、開閉体３を閉鎖位置において固定枠体１に対して錠止する開閉体のロック装置において、係合部材２のホルダ８に被係合部材４に対して深さを有し、被係合部材４に向かって開口しているポケット部５を設け、緩衝性のある帯状母材６を所要長さ寸法に切断して緩衝部材７を形成し、ポケット部５に挿入した緩衝部材７の切断面をポケット部５から突出させて被係合部材４に圧接させることを最も主要な特徴とする。
【発明の効果】
【０００９】
本発明のロック装置は、係合部材２のホルダ８に形成したポケット部５に緩衝部材７を挿入し、緩衝材７の突出端部を被係合部材４の一部に圧接させたから、係合部材２と被係合部材４との間の残存間隙は消失し、被係合部材４ひいては開閉体３のガタツキ振動の発生を的確に防止することができる。
【００１０】
緩衝部材７は、緩衝性のある帯状母材６より所要の長さ寸法に切り取ることによって形成され、ポケット部５に挿入した緩衝部材７の切断面を被係合部材４に圧接させるものであるから、この切り取りの長さ寸法を適正に選定すれば、前記残存間隙を確実に解消させることができる。
【００１１】
緩衝部材７はその長さ方向の切断面において被係合部材４に圧接するものであるから、残存間隙に大小の差異があっても、帯状母材６の切取り長さの変更することだけで、直ちに対応することができる。
一種類の帯状母材６を準備すれば、すべての状況に即応できるから、準備すべき緩衝部材の種類を単一化して製作コストを節減し、その在庫管理の簡単化することができる。
【発明を実施するための最良の形態】
【００１２】
帯状母材６としては、通常の緩衝性ゴム材やプラスチック材が使用される。帯状母材６の横断面の輪郭寸法は、ポケット部５の内側空間の輪郭寸法と合致するか、若干大きめに設定すれば、これより切り取った緩衝部材７は、その接触摩擦または弾性反発力によって、ポケット部５に押し入れた状態に安定に保持される。
被係合部材４との圧接がその中心軸方向に沿って真直ぐになされ、別方向への分力が生じることのないように、帯状母材６の切断は、長さ方向の中心軸に対して直角に行うのが望ましい。
【００１３】
緩衝部材７による振動防止の作用を確保するためには、緩衝部材７の切断端面は、無負荷状態においてポケット部５の開口から一定長さ突出しており、開閉体３の閉鎖動作の終端において緩衝部材７の前記切断端面が被係合部材４によって押圧されるようにするのが望ましい。
【実施例１】
【００１４】
図１から図９は、本発明装置の実施例１を示すものであって、ロック機構の主体構成とその作動自体は、既に公知のものである。
板状の係合部材２は一対のホルダ８，８の間に収容され、スペーサ１９を介在させて軸ピン９によって中間部分をホルダ８，８に枢着されている。係合部材２の先端部分には、被係合部材４が入り込むフック部２ａを横向きに形成してある。ホルダ８，８の先端部分には、係合部材４が進入するガイド溝２６を基端部に向かって形成してある。
ホルダ８，８の基端部の外側への張り出し板部２５は、固定枠体１の適所に当接され、長孔２４を通るビスによって固定枠体１に固着される。
【００１５】
ポケット部５はホルダ８の外側面に溶接して一体化された添接板２３，２３に打ち出し加工されている。ポケット部５は薄い箱型に形成され、ポケット部５の底部には貫通孔１８が形成されている。ポケット部５に押し込んだ緩衝部材７は、必要に応じて当該貫通孔１８にピン状物を差し込むことによって、ポケット部５から突き出すことができる。一対の添接板２３，２３の中間連結板部２１は、係合部材２の中間突起２２が当接するストッパー部となっている。
【００１６】
ホルダ８，８の間には、係合部材２と向き合うようにリセット部材１１が収容されており、リセット部材１１はホルダ８，８の先端部に対して、スペーサ２０，２０を介在させて軸ピン１０によって枢着されている。
係合部材２の基端部の貫通孔１６とリセット部材１１の基端部の貫通孔１７には、引張コイルバネ１２の各末端部が引き掛けられている。このバネ１２の付勢によって、係合部材２は図７において反時計回り方向に回転付勢され、リセット部材１１は図７において時計回り方向に回転付勢されている。
【００１７】
開閉体３の閉鎖状態において、被係合部材４が係合部材２のフック部２ａに係合しているとき（図７の一点鎖線位置および図８参照）、リセット部材１１の制止突起１４は、係合部材２の停止突起１３に係合しており、これによって係合部材２は被係合部材４と係合した位置に停止保持されている。
リセット部材１１の操作アーム部１５を押してリセット部材１１を軸ピン１０を中心に図７において反時計回り方向に回動させると、リセット部材１１の制止突起１４と係合部材２の停止突起１３との係合が解除され、係合部材２は軸ピン９を中心として図７において反時計回り方向に回転する。この回転の過程において、被係合部材４は係合部材２のフック部２ａの溝部から押し出され、固定枠体１に対する開閉体３の錠止が解除される。
【００１８】
本発明が適用されるロック装置の具体的構成は上記実施例１のものに限定されず、本発明は種々のロック装置に適用されるものであるが、いずれのロック装置においても、開閉体３の閉鎖終端において、緩衝部材７の切断端面が被係合部材４の一部によって圧縮されることには変わりはない。
【図面の簡単な説明】
【００１９】
【図１】本発明の実施例１に係るロック装置の正面図である。
【図２】前記ロック左側面図である。
【図３】前記ロック装置の平面図である。
【図４】前記ロック装置の底面図である。
【図５】前記ロック装置の右側面図である。
【図６】前記ロック装置の背面図である。
【図７】図１のＡ−Ａ線断面図である。
【図８】図３のＢ−Ｂ線断面図である。
【図９】前記ロック装置の使用状態を示す銃断面図である。
【図１０】前記ロック装置に使用する帯状母材の斜視図である。
【符号の説明】
【００２０】
１    固定枠体
２    係合部材
３    開閉体
４    被係合部材
５    ポケット部
６    帯状母材
７    緩衝部材
【図１】
2005023762.tif 000003
【図２】
2005023762.tif 000004
【図３】
2005023762.tif 000005
【図４】
2005023762.tif 000006
【図５】
2005023762.tif 000007
【図６】
2005023762.tif 000008
【図７】
2005023762.tif 000009
【図８】
2005023762.tif 000010
【図９】
2005023762.tif 000011
【図１０】
2005023762.tif 000012